(57)【特許請求の範囲】
【請求項１】
定電流形交流電源の電源ラインに直列に接続される各第１の変成器の二次側にそれぞれ灯火を接続し各灯火の監視，動作制御を行う灯火監視制御システムにおいて、
前記各第１の変成器と各灯火との間にそれぞれ個別に設けられ、前記第１の変成器の二次側に設けられる第２の変成器の二次側に現れる電源波形に重畳される動作制御情報の伝送信号を取り込み、当該電源波形のゼロクロスポイントを基準に１／４サイクル毎に分割し、親局に割当てられる送信サイクル範囲の前記電源波形を切り取った後、整流及びフィルタリング処理により全て正側となる前記電源波形の微少な変化として重畳される前記伝送信号を取り出して受信し、その受信内容に応じて灯火を動作制御し、かつ、当該灯火の動作状態を監視してその監視情報に応じた伝送信号を前記電源ラインの電源波形に重畳させて送信する各子局と、
前記電源ラインに設けられ、前記子局から送信されてくる前記電源波形に重畳される監視情報の伝送信号を取り込み、当該電源波形のゼロクロスポイントを基準に１／４サイクル毎に分割し、前記子局に割当てられる送信サイクル範囲の前記電源波形を切り取った後、整流及びフィルタリング処理により全て正側となる前記電源波形の微少な変化として重畳される前記伝送信号を取り出して受信表示するとともに、操作指令による動作制御情報に応じた伝送信号を前記電源ラインの電源波形に重畳させて送信する前記親局と
を備えたことを特徴とする灯火監視制御システム。
【請求項２】
請求項１に記載の灯火監視制御システムにおいて、
前記各子局は、前記第１の変成器の二次側に設けられる第２の変成器の二次側に現れる前記親局から送信されてくる前記電源ラインの電源波形に重畳される動作制御情報に関する伝送信号を取り込み、当該電源波形のゼロクロスポイントを基準に１／４サイクル毎に分割し、親局に割当てられる送信サイクル範囲の前記電源波形を切り取った後、整流及びフィルタリング処理により全て正側となる前記電源波形の微少な変化として重畳される前記伝送信号を取り出して受信し、前記灯火の点灯，消灯制御を実行する信号受信系と、前記電源波形に重畳された伝送信号が該当する前記灯火に影響を与えないような処理を施した後、当該灯火の点灯、消灯を行い、また当該灯火の断芯等の監視情報を検出する灯火保護制御手段と、この灯火保護制御手段によって検出された監視情報に基づいて前記第1の変成器二次側の電源波形を開放制御することにより前記電源波形に前記監視情報に関する伝送信号を重畳する信号送信系とを設けたことを特徴とする灯火監視制御システム。
【請求項３】
請求項１に記載の灯火監視制御システムにおいて、
前記親局は、各子局から送信されてくる前記電源ラインの電源波形に重畳される監視情報に関する伝送信号を取り込み、当該電源波形のゼロクロスポイントを基準に１／４サイクル毎に分割し、前記各子局に割当てられる送信サイクル範囲の前記電源波形を切り取った後、整流及びフィルタリング処理により全て正側となる前記電源波形の微少な変化として重畳される前記伝送信号を取り出して受信する信号受信系と、この信号受信系によって受信された前記監視情報を表示するとともに灯火の動作制御情報に関する操作指令を入力する操作手段と、この操作指令による動作制御情報に応じた伝送信号を前記電源ラインの電源波形に重畳させて送信する信号送信系とを設けたことを特徴とする灯火監視制御システム。
【請求項４】
請求項２の構成と請求項３の構成とを備えたことを特徴とする灯火監視制御システム。
【請求項５】
請求項１ないし請求項４の何れか１つに記載の灯火監視制御システムにおいて、
前記各子局および前記親局において前記電源波形に伝送信号を重畳する場合、当該電源波形のゼロクロスポイントから予め定める時間間隔をもって前記伝送信号の重畳開始とし、前記各子局および前記親局では、前記電源波形のゼロクロスポイントから予め定める時間間隔をもって同期タイミングとして伝送信号を受信することを特徴とする灯火監視制御システム。
【請求項６】
請求項１ないし請求項４の何れか１つに記載の灯火監視制御システムにおいて、
前記各子局および前記親局間において予め異なる所定の内容情報ごとに電源波形のゼロクロスポイントからそれぞれ異なる所定の時間後に送信する取り決めが定められ、前記各子局および前記親局の受信側では、前記電源波形のゼロクロスポイントから現れる情報の時間に基づいて情報内容を判断することを特徴とする灯火監視制御システム。
【請求項７】
請求項１ないし請求項４の何れか１つに記載の灯火監視制御システムにおいて、
各子局および親局で子局を識別する手段として、予め各子局ごとに電源波形のゼロクロスポイントから当該電源波形に伝送信号を重畳させるための開始時間を定めることにより、前記各子局および親局では電源波形のゼロクロスポイントから伝送信号を受信した時の時間から子局を識別することを特徴とする灯火監視制御システム。
【発明の詳細な説明】
【０００１】
【発明の属する技術分野】
本発明は、定電流形交流電源に直列に接続される複数の変成器の二次側に設けられた各灯火の動作状態を監視制御する灯火監視制御システムに関する。
【０００２】
【従来の技術】
空港の滑走路には誘導灯等のごとき多数の灯火を点灯，消灯制御する直列灯火回路が用いられている。
【０００３】
この直列灯火回路は、定電流形交流電源に直列に多数の変成器が接続され、これら各変成器の二次側にそれぞれ個別に灯火を接続してなる構成である。
【０００４】
ところで、このような直列灯火回路は、機能的には各灯火の断芯検出（監視）と各灯火の点灯，消灯制御が必要となる。
【０００５】
各灯火の断芯検出は、各変成器の二次側開放状態による定電流形交流電源の出力電圧波形または出力電流波形の変化から灯火の断芯発生を検出しており、一方、各灯火の点灯，消灯制御は、各灯火ごとに個別に制御用配線を布設し、灯火操作監視装置などから個別の制御用配線を用いてそれぞれ個別に灯火の点灯、消灯制御を実施している。
【０００６】
【発明が解決しようとする課題】
しかしながら、以上のような直列灯火回路は、多数の灯火の中の１つの灯火の断芯発生を容易、かつ、的確に検出することが難しい。
【０００７】
また、各灯火の点灯・消灯制御に際し、個別に制御用配線を布設する必要があるので、空港施設内にそれ相当の布設スペースを確保しなければならず、また制御用配線の布設作業が煩雑であり、配線布設後の制御用配線を含む設備のメンテナンスが大掛かりとなる問題がある。
【０００８】
本発明は上記事情に鑑みてなされたもので、各灯火の動作状態を確実に検出する灯火監視制御システムを提供することにある。
【０００９】
また、本発明の他の目的は、灯火ごとの制御用配線を不要にして各灯火の監視，動作制御を行う灯火監視制御システムを提供することにある。
【００１０】
【課題を解決するための手段】
上記課題を解決するために、本発明は、定電流形交流電源の電源ラインに直列に接続される各第１の変成器の二次側にそれぞれ灯火を接続し各灯火の監視，動作制御を行う灯火監視制御システムにおいて、
前記各変成器と各灯火との間にそれぞれ個別に設けられ、前記第１の変成器の二次側に設けられる第２の変成器の二次側に現れる電源波形に重畳される動作制御情報の伝送信号を取り込み、当該電源波形のゼロクロスポイントを基準に１／４サイクル毎に分割し、親局に割当てられる送信サイクル範囲の前記電源波形を切り取った後、整流及びフィルタリング処理により全て正側となる前記電源波形の微少な変化として重畳される前記伝送信号を取り出して受信し、その受信内容に応じて灯火を動作制御し、かつ、当該灯火の動作状態を監視してその監視情報に応じた伝送信号を前記電源ラインの電源波形に重畳させて送信する各子局と、前記電源ラインに設けられ、前記子局から送信されてくる前記電源波形に重畳される監視情報の伝送信号を取り込み、当該電源波形のゼロクロスポイントを基準に１／４サイクル毎に分割し、前記子局に割当てられる送信サイクル範囲の前記電源波形を切り取った後、整流及びフィルタリング処理により全て正側となる前記電源波形の微少な変化として重畳される前記伝送信号を取り出して受信表示するとともに、操作指令による動作制御情報に応じた伝送信号を前記電源ラインの電源波形に重畳させて送信する前記親局とを設けた灯火監視制御システムである。
【００１１】
本発明は、以上のような手段を講じたことにより、各子局は、個別に灯火の監視，動作制御を行う一方、その監視情報に基づいて電源ラインの電源波形を変化させて伝送信号を重畳し、また親局は監視情報に関する伝送信号を受信表示し、その確認結果の操作指令としての灯火の動作制御情報に基づいて電源ラインの電源波形を変化させて伝送信号を重畳させ所要の子局に伝送するので、各灯火の動作状態を確実に検出でき、また、灯火ごとの制御用配線を不要にして各灯火の監視，動作制御を行うことができる。
【００１３】
また、別の発明は、各子局および前記親局における伝送信号の重畳タイミングとしては、電源波形のゼロクロスポイントから予め定める時間間隔をもって前記伝送信号の重畳開始とし、前記各子局および前記親局では、前記電源波形のゼロクロスポイントから予め定める時間間隔を同期タイミングとして伝送信号を受信することにより、確実に同期を取って目的とする伝送信号を取り出すことができる。
【００１４】
さらに、別の発明は、前記各子局および前記親局間で決められた内容の情報をまたは各子局の識別のために時間間隔を定め、前記電源波形のゼロクロスポイントから前記時間間隔により、決められた内容の情報または子局を識別するものである。
【００１５】
【発明の実施の形態】
以下、本発明の実施の形態について図面を参照して説明する。
【００１６】
図１は本発明に係る灯火監視制御システムの一実施の形態を示す全体構成のブロック図である。
【００１７】
この灯火監視制御システムは、交流電源１に接続さる定電流電源装置２と、フィルタ３と、このフィルタ３の出力側電源ライン４に直列に接続される変流器ＣＴ１，ＣＴ２，…の二次側にそれぞれ個別に接続された端末部（子局）Ｒ１，Ｒ２，…と、これら端末部Ｒ１，Ｒ２，…にそれぞれ個別に接続され前記各変流器ＣＴ１，ＣＴ２，…を通して定電流の供給を受けて一定輝度で点灯維持する灯火Ｌ１，Ｌ２，…と、前記各端末部Ｒ１，Ｒ２，…の間で相互に灯火Ｌ１，Ｌ２，…の監視，動作制御に関する伝送信号を授受する親局５と、灯火操作監視装置６とによって構成されている。
【００１８】
前記フィルタ３は、電源ライン４の電源波形に重畳される伝送信号が定電流電源装置２に回り込まないようにするための機能をもっている。
【００１９】
前記各端末部Ｒ（Ｒ１，Ｒ２，…）は、図２に示すように定電流電源装置２の電源ライン４上に各変流器ＣＴ（ＣＴ１，ＣＴ２，…）を介して接続されている。
【００２０】
各端末部Ｒは、具体的には，自己端末部Ｒの動作用電源を生成するための電源部１１および自己端末部Ｒの動作用電源を取り出すための変流器１２の他、灯火Ｌの保護および動作制御を行う灯火保護制御手段１３と、信号受信手段１４と、この信号受信手段１４の出力および灯火保護制御手段１３の出力に応じて灯火動作制御および灯火Ｌの監視結果の信号を出力する伝送制御部１５と、信号送信手段１６とが設けられている。
【００２１】
前記灯火保護検出手段１３は、電源ライン４の電源波形に重畳される灯火Ｌの動作制御信号が灯火Ｌに影響を与えないようにするフィルタ２１、過電圧等の保護を行う保護リレー２２、灯火Ｌの点灯・消灯制御を行うためのオン／オフ制御部２３、過電圧，断芯等を検出する過電圧断芯検出部２４および灯火Ｌの点灯，消灯動作状態を検出するオン／オフ検出部２５等によって構成されている。
【００２２】
前記信号受信手段１４は、変流器ＣＴの二次側に現れる電源波形（電流波形）に重畳される灯火動作信号を変流器２６を通して検出する電流検出部２７、この電流検出部２７で検出される電源波形を分割、増幅，フィルタリング，波形整形等により灯火動作制御信号のみを取り出す信号処理部２８、この信号処理部２８により取り出される灯火動作制御信号の内容を解析して伝送制御部１５に送出する伝送受信部２９等からなっている。
【００２３】
前記伝送制御部１５は、親局５からの灯火動作制御信号の内容を受けてオン／オフ制御部２３に指令を送出して灯火Ｌの点灯，消灯の動作制御を行い、またオン／オフ検出部２５で検出される灯火Ｌの点灯，消灯状態および過電圧断芯検出部２４で検出される断芯情報等（監視情報）を受け、信号送信手段１６に対して信号送信命令を送出する機能をもっている。
【００２４】
前記信号送信手段１６は、複数存在する端末部Ｒを識別させるための端末番号を設定する設定部３１、この設定部３１に設定される端末番号のもとに、伝送制御部１５の信号送信命令内容に応じた伝送信号を作成し出力する伝送送信部３２、この伝送送信部３２で作成される灯火監視内容をもつ伝送信号に基づいて電源制御を行う開放制御部３３、この開放制御部３３の電源制御信号を受けて電源波形に変化を与えることにより、電源波形に伝送信号を重畳させる開放短絡部３４等が設けられ、この電源波形に重畳された灯火監視内容をもつ伝送信号を変流器ＣＴを介して電源ライン４上に接続される親局５に送信する。
【００２５】
前記親局５は、電源ライン４上から電圧，電流を取り込む変圧器４１および変流器４２が設けられ、ここで取り込んだ電圧，電流は電圧／電流検出部４３によって電圧波形または電流波形を検出する。信号処理部４４は、検出部４３により検出される電圧波形または電流波形等の電源波形を増幅，フィルタリング，波形整形を行うことにより、定電流電源装置２の出力である電源波形に重畳される伝送信号，つまり端末部からの灯火監視情報のみを取り出した伝送受信部４５に送出する。
【００２６】
この伝送受信部４５は、端末部Ｒ１，Ｒ２，…から送信されてくる各灯火Ｌ１，Ｌ２，…の断芯等を表わす灯火監視情報の内容を解析し伝送制御部４６に渡す。
【００２７】
この伝送制御部４６は、灯火操作監視装置６に灯火断芯位置等の灯火監視情報を表示するとともに、灯火操作監視装置６にて操作される各灯火の点灯，消灯指令等のごとき灯火動作制御信号を受け取り伝送送信部４７に送出する。
【００２８】
この伝送送信部４７は、受け取った灯火動作制御信号に基づいて伝送信号を作成し逆位相信号発生部４８に送出する。この逆位相信号発生部４８は、電圧／電流検出部４３にて検出された電圧波形または電流波形をもとに、逆位相となるように前記伝送信号を発生させ、信号印加部４９に供給する。この信号印加部４９および変流器５０は、逆位相の伝送信号に基づいて定電流電源装置２の出力波形に変化を与えることにより、電源波形に灯火動作制御信号である伝送信号を重畳させる。
【００２９】
この重畳された伝送信号は、変流器ＣＴ１，ＣＴ２，…を介して端末部Ｒ１，Ｒ２，…に送られる。なお、重畳された伝送信号が定電流電源装置２に回り込まないようにフィルタ３が設けられている。
【００３０】
図３は本発明システムにおける電源ライン上の電源波形の利用例および当該電源波形への伝送信号の重畳状態を示す図である。
【００３１】
同図においてＳは定電流電源装置２から出力される電源波形であって、端末部（子局）および親局が電源波形の１／４サイクルごとに交互に利用しながら伝送信号を伝送するものとする。
【００３２】
すなわち、各端末部と親局は次のような取り決めのもとに伝送信号を伝送し、また伝送信号の受信においても当該取り決めに応じて伝送信号を取り出すことにより、端末部と親局間の伝送信号の衝突を回避するとともに、伝送の高速化を図るものである。
【００３３】
その取り決めとは、１サイクルの電源波形を４分割し、そのうち０〜９０度は端末部から親局への信号伝送サイクルＡ、９１〜１８０度は親局から端末部への信号サイクルＢ、１８１〜２７０度は端末部から親局への信号伝送サイクルＣ、２７１〜３６０度は親局から端末部への信号伝送サイクルＤとする。
【００３４】
よって、各端末部は、電源ライン４の電源波形からゼロクロスポイントを検出し、０〜９０度、１８１〜２７０度の位相範囲で電源波形に自身の端末番号を含む伝送信号Ｄを重畳し親局に送信する。親局は、以上の取り決めに従ってゼロクロスポイントを検出し、０〜９０度、１８１〜２７０度の位相範囲で端末番号を含む伝送信号Ｄを受信する。
【００３５】
一方、親局は、電源ライン４の電源波形からゼロクロスポイントを検出し、９１〜１８０度、２７１〜３６０度の位相範囲において電源波形に宛先端末番号を含む伝送信号Ｄ′を重畳し端末部に送信する。該当子局は、以上の取り決めに従ってゼロクロスポイントを検出し、９１〜１８０度、２７１〜３６０度の位相範囲において宛先端末番号を含む伝送信号Ｄ′を受信する。
【００３６】
なお、端末部から親局への伝送信号Ｄは、信号送信手段１６によって電源ライン４に接続される変成器ＣＴの二次側開放の飽和による電源波形の変化が現れるサイクルであり、親局から端末部への伝送信号Ｄ′は、歪みが少なく電源ライン４の電源波形に変化を与えやすいサイクルとする。
【００３７】
図４は各端末部Ｒから親局５への伝送信号波形を示す図である。
【００３８】
各端末部Ｒは、オン／オフ制御部２４の点灯，消灯制御による灯火の点灯，消灯動作状態や過電圧断芯検出部２４の断芯情報等の灯火監視情報を伝送制御部１５に送ると、この伝送制御部１５は受け取った灯火監視情報を含んだ信号送信指令を信号送信手段１６に送出する。
【００３９】
ここで、信号送信手段１６は、設定部３１に設定される端末番号を含む灯火監視情報に応じた伝送信号を電源ライン４に送出するが、このとき図４に示すように変流器ＣＴの二次側に図４に示すような電源波形Ｓが現れるが、そのうち電源波形のゼロクロスポイントを同期信号とし、１／４サイクル毎に分割し、０〜９０度、１８１〜２７０度の位相範囲でゼロクロスポイントの検出後所定時間Ｘｓ後に変成器ＣＴ二次側の電源波形に変化を与えることにより、電源波形にゼロクロスポイントおよび端末番号を含む灯火監視情報に応じた伝送信号Ｄ１，Ｄ２，…を重畳して電源ライン４に送信する。
【００４０】
一方、親局５では、電圧／電流検出部４３において電源波形に重畳される伝送信号を取込んで１／４サイクル毎に分割し、端末部Ｒの送信サイクルとなる０〜９０度、１８１〜２７０度の位相範囲のみの電源波形Ｓ１を切り取り、全て正側信号となるように整流する。しかる後、信号処理部４４にて整流された伝送信号をフィルタリングし、電源波形の微少な変化として重畳される伝送信号のみを取り出し、さらに増幅した後、ディジタル信号Ｄに波形整形する。そして、このディジタル化された伝送信号Ｄが伝送受信部４５を介して伝送制御部６に送り、ここで灯火操作監視装置６の表示部に灯火監視情報を表示する。
【００４１】
図５は親局５から各端末部Ｒへの伝送信号波形を示す図である。
【００４２】
親局５は、灯火操作監視装置６の表示内容を確認後、或いは表示内容とは無関係により、オペレータが灯火操作監視装置６にて必要な操作を行い、操作指令を出力する。この操作指令は伝送制御部４６を通して伝送送信部４７に送られ、ここで操作指令内容、つまり灯火動作制御情報を含んだ伝送信号を作成して逆位相信号発生部４８に送出する。この逆位相信号発生部４８は、電圧／電流検出部４３にて検出された波形をもとに親局の送信サイクルとなる９１〜１８０度、２７１〜３６０度の位相範囲で伝送信号を逆位相の伝送信号として発生させ、電源波形に変化を与えることにより、電源波形Ｓに灯火動作制御情報に応じた伝送信号Ｄ′を重畳させて送信する。
【００４３】
各端末部Ｒの電流検出部２７は、電源波形に重畳される伝送信号Ｄ′を図２に示す変流器ＣＴおよび変流器２６を介して取込んで１／４サイクル毎に分割し、親局５の送信サイクルとなる９１〜１８０度、２７１〜３６０度の位相範囲のみの電源波形Ｓ２を切り取り、全て正側信号となるように整流する。信号処理部２８にて整流された伝送信号をフィルタリングし、電源波形の微少な変化として重畳される伝送信号Ｄ′のみを取り出し、さらに増幅した後、ディジタル信号に波形整形し、伝送受信部２９を介して伝送制御部１５に送出する。
【００４４】
この伝送制御部１５は、伝送受信部２９により受信された伝送信号Ｄ′に基づいてオン／オフ制御部２３をオン／オフ制御し、灯火Ｌの点灯，消灯制御を実施する。
【００４５】
図６は図４，図５に示す伝送信号の他の詳細例を説明するタイムチャートである。
【００４６】
各端末部および親局において８ビットデータの伝送信号を送信する場合、ゼロクロスポイントから１ビット目までの時間Ｘよりビットデータサイクル時間Ｚを差し引いた時間（Ｘ−Ｚ）にスタートビットＳTを生成する。このスタートビットに続き、伝送すべきビットデータＢ１〜Ｂ８に対してビットサイクル内（Ｚ）で「１」に変化しているか、或いはビットデータＢ１〜Ｂ８の立上り、立下りを検出することにより、ビットデータｂ１〜ｂ８を生成する。さらに、８ビットデータｂ１〜ｂ８の後にパリティビットＰを追加する。このとき、パリティはデータが「００」の場合には伝送信号が無い場合と区別できるように奇数パリティとする必要がある。
【００４７】
よって、各端末部および親局は、以上のようにして作成されたスタートビットＳTに８ビットデータおよび奇数パリティを付加してなる伝送信号を電源波形に重畳し送信する。
【００４８】
図７は情報内容を判断可能に伝送信号を伝送する例を示すタイムチャートである。
【００４９】
このシステムにおいては、予め各端末部と親局との間で、情報内容を判断させるためにゼロクロスポイントから電源波形を変化させるまでの時間間隔Ａ（ｓ），Ｂ（ｓ），Ｃ（ｓ），…Ｚ（ｓ）を取り決めする。例えば時間間隔Ａ（ｓ）のとき伝送情報Ａ例えば灯火の点灯とし、時間間隔Ｂ（ｓ）のとき伝送情報Ｂ例えば灯火の消灯、時間間隔Ｃ（ｓ）のとき伝送情報Ｃ例えば灯火の断芯であると取り決めしておく。
【００５０】
この状態において端末部からゼロクロスポイントから取り決めされた灯火の断芯を意味する時間間隔Ｃ（ｓ）をもって識別番号等のデータを送信すれば、親局ではその時間間隔Ｃ（ｓ）後の伝送信号から例えば第１の端末部で灯火が断芯であると判断でき、また親局からゼロクロスポイントから時間間隔Ａ（ｓ）をもって宛先端末番号（第１の端末部）のデータを送信すれば、第１の端末部ではその時間間隔Ａ（ｓ）後の伝送信号から自身宛の灯火点灯制御であると判断できる。
【００５１】
従って、以上のような伝送信号の伝送形態とすれば、１ビットデータで済む場合もあり、無駄な伝送を省略でき、伝送効率を向上できる。
【００５２】
図８は端末識別番号に代えて各端末部を識別可能にした例を説明するタイムチャートである。
【００５３】
この例は、予め各端末部と親局との間で、端末部を識別させるためにゼロクロスポイントから電源波形を変化させるまでの時間間隔Ａ（ｓ），Ｂ（ｓ），Ｃ（ｓ），…Ｚ（ｓ）を取り決めする。例えば時間間隔Ａ（ｓ）のとき第１の端末部、時間間隔Ｂ（ｓ）のとき第２の端末部、時間間隔Ｃ（ｓ）のとき第３の端末部であると取り決めしておく。
【００５４】
この状態において親局５は、ゼロックスポイントから伝送信号のスタートビットまでの時間間隔Ａ（ｓ）をもって伝送信号を伝送すれば、ゼロクロスポイントから時間間隔Ａ（ｓ）でスタートビットが現れたとき第１の端末部では自身当ての伝送信号と判断し、ゼロクロスポイントから時間間隔Ｂ（ｓ）でスタートビットが現れたとき第１の端末部では自身当ての伝送信号と判断するので、端末識別番号なしで伝送信号を伝送できる。
【００５５】
一方、端末部から伝送信号を伝送する場合でも、前述と同様の要領で伝送信号を伝送すれば、親局側ではその時間間隔から何れの端末部から伝送信号が伝送されてきたか識別できる。
【００５６】
その他、本発明はその要旨を逸脱しない範囲で種々変形して実施できる。
【００５７】
【発明の効果】
以上説明したように本発明によれば、各灯火ごとに子局を設け、監視および動作制御を行うので、各灯火の動作状態を確実に検出できる。
【００５８】
また、各子局と親局の間で電源波形に監視，制御情報を重畳させて伝送するので、灯火ごとの制御用配線を不要にして各灯火の監視，動作制御を行うことができる。
【図面の簡単な説明】
【図１】  本発明に係る灯火監視制御システムの一実施の形態を示す全体構成のブロック図。
【図２】  図１に示すシステムの各端末部の一構成例を示すブロック図。
【図３】  親局と各端末部における伝送信号の送信サイクルを説明する図。
【図４】  各端末部から親局に送信する伝送信号の波形および親局で伝送信号を取り出す例を説明する図。
【図５】  親局から各端末部に送信する伝送信号の波形および各端末部で伝送信号を取り出す例を説明する図。
【図６】  伝送信号の信号内容を説明する図。
【図７】  所要の伝送情報を送信させるためにゼロクロスポイントから時間間隔を定めることにより、所要の伝送情報を判断させるタイムチャート図。
【図８】  各端末部の識別を行わせるためにゼロクロスポイントから時間間隔を定めることにより、端末部を識別させるタイムチャート図。
【符号の説明】
１…交流電源
２…定電流電源装置
４…電源ライン
５…親局
６…灯火操作監視装置
Ｒ１，Ｒ２…端末部（子局）
Ｌ１，Ｌ２…灯火
１３…灯火保護制御部
２２…帳票読取部
１４…信号受信手段
１５…伝送制御部
１６…信号送信手段
【図１】
0003857457.tif 000002
【図２】
0003857457.tif 000003
【図３】
0003857457.tif 000004
【図４】
0003857457.tif 000005
【図５】
0003857457.tif 000006
【図６】
0003857457.tif 000007
【図７】
0003857457.tif 000008
【図８】
0003857457.tif 000009